(57)【要約】【課題】衣類等の布地に対する予めの加工を必要とせず、布地にボタンの有無等の取付け条件を問わずにＩＣタグを取り付けることができ、また布地に対してＩＣタグの付け外しや付け替えを容易に行い得るとともに、布地に対する孔設作業や縫い付け作業に掛かる時間と労力を軽減し、ＩＣタグを取り付けるための前準備を不要とし、ＩＣタグの取り付け作業を円滑化するＩＣタグ取付け治具を提供する。【解決手段】合成樹脂など剛性の高い素材で成形されたＩＣタグ１を治具を用いて布地３に固定保持するためのＩＣタグ取付け治具であり、閉環状又は開環状の環状体であってＩＣタグ１の外径に対して同一の環内径又はそれ未満の環内径を有する略真円形状の環状体である。【選択図】図１
2011034316.tif 000002
【特許請求の範囲】
【請求項１】
合成樹脂など剛性の高い素材で成形されたＩＣタグを治具を用いて布地に固定保持するためのＩＣタグ取付け治具において、ＩＣタグ取付け治具が閉環状の環状体であって、ＩＣタグの外径に対して同一の環内径又はそれ未満の環内径を有する略真円形状の環状体であることを特徴とするＩＣタグ取付け治具。
【請求項２】
合成樹脂など剛性の高い素材で成形されたＩＣタグを治具を用いて布地に固定保持するためのＩＣタグ取付け治具において、ＩＣタグ取付け治具が閉環状の環状体であって、ＩＣタグの外径に対して略同一若しくはそれ以上の環内径と、ＩＣタグの外径未満の環内径とを有する異形状環状体であることを特徴とするＩＣタグ取付け治具。
【請求項３】
合成樹脂など剛性の高い素材で成形されたＩＣタグを治具を用いて布地に固定保持するためのＩＣタグ取付け治具において、ＩＣタグ取付け治具が馬蹄形状など開環状の環状体であって、ＩＣタグの外径に対して同一の環内径又はそれ未満の環内径を有する開環状の環状体であることを特徴とするＩＣタグ取付け治具。
【請求項４】
合成樹脂など剛性の高い素材で成形されたＩＣタグを治具を用いて布地に固定保持するためのＩＣタグ取付け治具において、ＩＣタグ取付け治具が馬蹄形状など開環状の環状体であって、ＩＣタグの外径に対して略同一若しくはそれ以上の環内径と、ＩＣタグの外径未満の環内径とを有する開環状の異形状環状体であることを特徴とするＩＣタグ取付け治具。
【請求項５】
前記環状体のＩＣタグ外径未満の環内径が、ＩＣタグの外径からＩＣタグ取付け部位の布地の厚さの２倍値を差し引いた値以下であることを特徴とする請求項１乃至４のいずれか１項記載のＩＣタグ取付け治具。
【請求項６】
前記ＩＣタグ取付け治具の環状体内側周面、又は／及び、環状体上側外面又は／及び下側外面に、布地を保持するための保持用爪部を備えることを特徴とする請求項１乃至５のいずれか１項記載のＩＣタグ取付け治具。
【請求項７】
前記取付け治具の環状体内側周面、又は／及び、環状体上側外面又は／及び下側外面に布地を保持するための摩擦係数増加用の凹凸部を備えることを特徴とする請求項１乃至６のいずれか１項記載のＩＣタグ取付け治具。
【請求項８】
前記ＩＣタグ取付け治具の環状体は、剛性の高い素材であって、応力又は加熱により塑性変形可能な合成樹脂、金属などの素材により形成されていることを特徴とする請求項１乃至７のいずれか１項記載のＩＣタグ取付け治具。
【請求項９】
前記ＩＣタグ取付け治具の環状体は、弾力性、伸縮性を有する素材であって、応力により変形可能な合成樹脂、ゴムなどの素材により形成されていることを特徴とする請求項１乃至７のいずれか１項記載のＩＣタグ取付け治具。
【発明の詳細な説明】
【技術分野】
【０００１】
本発明は、衣類やハンカチーフ、カーテン等の布地に対してＩＣタグを取り付けるためのＩＣタグ取付け治具に関する。
【背景技術】
【０００２】
一般的にＩＣタグは各種生産物や商品等の各種製造物品の製造ライン上での生産管理や流通販売管理や在庫管理等のために当該物品に取り付けて使用される。
【０００３】
ＩＣタグはマイクロＣＰＵやメモリ、アンテナなどを搭載した小片状のＩＣチップを小片状のタグ基材に実装したものであるが、特にＩＣタグを、布地に対して取り付ける場合は、布地に取付け用の小孔を孔設して取り付けたり、取付け用の面ファスナーを縫い付けて取り付けている。
【０００４】
例えば、布地に対するＩＣタグの取付け方式としては、特許文献１に記載するように、予め布地側にＩＣタグの取付けを媒介するための部分（小孔部分や面ファスナー等）を施し加工する方法があり、また特許文献２に記載するように、布地の物品に直接埋め込む方法や、特許文献３に記載するように、取付け具を用いて布地のボタン等に取り付ける方法等がある。
【０００５】
しかしながら、このような布地に対する孔設作業や縫い付け作業には時間と労力が掛かり、ＩＣタグを取り付けるための前準備が必要となり、ＩＣタグの取り付けが煩雑となり易い。
【先行技術文献】
【特許文献】
【０００６】
【特許文献１】特開２００４−１５２０７６号公報
【特許文献２】特開２００８−１６５４８４号公報
【特許文献３】特開２００６−３１８３２０号公報
【発明の概要】
【発明が解決しようとする課題】
【０００７】
本発明の課題は、衣類等の布地に対する予めの加工を必要とせず、布地にボタンの有無等の取付け条件を問わずにＩＣタグを取り付けることができ、また布地に対してＩＣタグの付け外しや付け替えを容易に行い得るとともに、布地に対する孔設作業や縫い付け作業に掛かる時間と労力を軽減し、ＩＣタグを取り付けるための前準備を不要とし、ＩＣタグの取り付け作業を円滑化するＩＣタグ取付け治具を提供することにある。
【課題を解決するための手段】
【０００８】
本発明の請求項１に係る発明は、合成樹脂など剛性の高い素材で成形されたＩＣタグを治具を用いて布地に固定保持するためのＩＣタグ取付け治具において、ＩＣタグ取付け治具が閉環状の環状体であって、ＩＣタグの外径に対して同一の環内径又はそれ未満の環内径を有する略真円形状の環状体であることを特徴とするＩＣタグ取付け治具である。
【０００９】
本発明の請求項２に係る発明は、合成樹脂など剛性の高い素材で成形されたＩＣタグを治具を用いて布地に固定保持するためのＩＣタグ取付け治具において、ＩＣタグ取付け治具が閉環状の環状体であって、ＩＣタグの外径に対して略同一若しくはそれ以上の環内径と、ＩＣタグの外径未満の環内径とを有する異形状環状体であることを特徴とするＩＣタ
グ取付け治具である。
【００１０】
本発明の請求項３に係る発明は、合成樹脂など剛性の高い素材で成形されたＩＣタグを治具を用いて布地に固定保持するためのＩＣタグ取付け治具において、ＩＣタグ取付け治具が馬蹄形状など開環状の環状体であって、ＩＣタグの外径に対して同一の環内径又はそれ未満の環内径を有する開環状の環状体であることを特徴とするＩＣタグ取付け治具である。
【００１１】
本発明の請求項４に係る発明は、合成樹脂など剛性の高い素材で成形されたＩＣタグを治具を用いて布地に固定保持するためのＩＣタグ取付け治具において、ＩＣタグ取付け治具が馬蹄形状など開環状の環状体であって、ＩＣタグの外径に対して略同一若しくはそれ以上の環内径と、ＩＣタグの外径未満の環内径とを有する開環状の異形状環状体であることを特徴とするＩＣタグ取付け治具である。
【００１２】
本発明の請求項５に係る発明は、上記請求項１乃至４のいずれか１項に係るＩＣタグ取付け治具において、前記環状体のＩＣタグ外径未満の環内径が、ＩＣタグの外径からＩＣタグ取付け部位の布地の厚さの２倍値を差し引いた値以下であることを特徴とするＩＣタグ取付け治具である。
【００１３】
本発明の請求項６に係る発明は、上記請求項１乃至５のいずれか１項に係るＩＣタグ取付け治具において、該ＩＣタグ取付け治具の環状体内側周面、又は／及び、環状体上側外面又は／及び下側外面に、布地を保持するための保持用爪部を備えることを特徴とするＩＣタグ取付け治具である。
【００１４】
本発明の請求項７に係る発明は、上記請求項１乃至６のいずれか１項に係るＩＣタグ取付け治具において、該取付け治具の環状体内側周面、又は／及び、環状体上側外面又は／及び下側外面に、布地を保持するための摩擦係数増加用の凹凸部を備えることを特徴とするＩＣタグ取付け治具である。
【００１５】
本発明の請求項８に係る発明は、上記請求項１乃至７のいずれか１項に係るＩＣタグ取付け治具において、該ＩＣタグ取付け治具の環状体は、剛性の高い素材であって、応力又は加熱により塑性変形可能な合成樹脂、金属などの素材により形成されていることを特徴とするＩＣタグ取付け治具である。
【００１６】
本発明の請求項９に係る発明は、上記請求項１乃至７のいずれか１項に係るＩＣタグ取付け治具において、該ＩＣタグ取付け治具の環状体は、弾力性、伸縮性を有する素材であって、応力により変形可能な合成樹脂、ゴムなどの素材により形成されていることを特徴とするＩＣタグ取付け治具である。
【発明の効果】
【００１７】
本発明のＩＣタグ取付け治具は、閉環状又は開環状の環状体であって、合成樹脂など剛性の高い素材で成形されたＩＣタグの外径に対して、同一の環内径又はそれ未満の環内径を有する、略真円形状又は異形状の環状体、又は略同一若しくはそれ以上の環内径とそれ未満の環内径を有する、略真円形状又は異形状の環状体であり、その環状体は、剛性の高い素材であって、応力又は加熱により塑性変形可能な合成樹脂、金属などの素材、又は弾力性、伸縮性のある合成樹脂、ゴムなどの素材により形成されている。
【００１８】
そのため、柔軟な衣類やハンカチーフ、カーテン等の布地にＩＣタグを取り付ける時には、布地の裏面側にＩＣタグを配置し、その布地の表面側の相対する位置には、本発明のＩＣタグ取付け治具の環状体を配置した後に、布地の裏面側にある前記ＩＣタグを、手指
などにて布地の裏面側から表面側に向けてその環状体の環内に布地と共に押し込むことにより、ＩＣタグは布地に包み込まれた状態で環状体環内に容易に装通することができ、ＩＣタグの布地への取り付け作業、ＩＣタグの布地からの取り外し作業が容易である。
【００１９】
ＩＣタグ取付け治具の環状体が、その内径がＩＣタグの外径と同径若しくはＩＣタグの外径未満の閉環状の環状体において、ＩＣタグを布地と共にＩＣタグ取付け治具の閉環状の環状体環内に装通した際には、狭小な、緩くない状態で装通することができる。
【００２０】
一方、ＩＣタグ取付け治具の環状体が、その内径がＩＣタグの外径と同径若しくはＩＣタグの外径未満の開環状の環状体において、ＩＣタグを布地と共にＩＣタグ取付け治具の閉環状の環状体環内に装通した際には、狭小な緩くない状態で装通することができるとともに、環状体が開環状であるため、環状体の内径の増大が許容されて、ＩＣタグと布地を装通する際には、環状体の内径を僅かではあるが拡大させながら装通することができる。また、開環状の環状体の開環している間隙の中に、布地に包まれたＩＣタグの外周の一部分を挿入することにより、狭小でない、緩い状態で装通することが可能である。
【００２１】
このようにしてＩＣタグ取付け治具の環状体環内に布地と共に装通されたＩＣタグは、布地によって被覆されて外側から肉眼では可視されず、ＩＣタグを隠蔽することができ、また、そのＩＣタグの外面は布地によって保護することができ、ＩＣタグの布地への取り付け作業、ＩＣタグの布地からの取り外し作業も容易である。
【００２２】
本発明のＩＣタグ取付け治具は、衣類等の布やＩＣタグに対して加工を施すことなく、ＩＣタグを布地に対して、直接取り付けることができ、取り付け位置にも制限されることなく、容易に取り付けることが可能になる。また、何らかの理由によりＩＣタグが破損した場合や、ＩＣタグが不要になり破棄するような場合に、布地のＩＣタグ取り外し部分に取付け加工跡が残る不都合を解消でき、またＩＣタグとしての機能を停止させて、タグ及びアンテナ自体はそのまま布地に残すなどの従来の方策を採用する必要がなく、柔軟な衣類やハンカチーフ、カーテン等の布地に、容易にＩＣタグの取付け、取外し、交換を実施することが可能になる。
【図面の簡単な説明】
【００２３】
【図１】本発明のＩＣタグ取付け治具の環状体の環内にＩＣタグを布地と共に装通させた状態を説明する全体斜視図。
【図２】本発明のＩＣタグ取付け治具を構成する閉環状の環状体の形状を説明する平面図。
【図３】本発明のＩＣタグ取付け治具を構成する開環状の環状体の形状を説明する平面図。
【図４】本発明のＩＣタグ取付け治具によりＩＣタグを布地に取り付けた状態を説明する全体斜視図。
【図５】本発明のＩＣタグ取付け治具によりＩＣタグを布地に取り付けた状態を説明する全体側断面図。
【図６】本発明のＩＣタグ取付け治具を構成する環状体の他の実施例を説明する斜視図。
【図７】本発明のＩＣタグ取付け治具を構成する環状体の他の実施例を説明する斜視図。
【発明を実施するための形態】
【００２４】
本発明のＩＣタグ取付け治具を、発明の実施の形態に基づいて以下に詳細に説明する。図１は、本発明のＩＣタグ取付け治具の環状体の環内に、ＩＣタグを布地と共に装通させた状態を説明する全体斜視図、図２は、各種形状の環状体を示す平面図である。
【００２５】
本発明のＩＣタグ取付け治具は、図１に示すように環状体２から構成されていて、合成樹脂など剛性の高い素材で成形された比較的偏平な円形、楕円形、矩形状など適宜形状のＩＣタグ１を、衣類等の柔軟な布地３に固定保持するためのものである。
【００２６】
本発明のＩＣタグ取付け治具を構成する環状体２は、合成樹脂など剛性の高い素材で成形されたＩＣタグ１の外径に対して、同一の環内径、又はそれ未満（例えばＩＣタグ１の外径からＩＣタグ１を取付けた布地３の部位の布地の厚さの２倍値を差し引いた値以下）の環内径を有する、略真円形状又は異形状の環状体である。
【００２７】
また本発明のＩＣタグ取付け治具を構成する環状体２は、合成樹脂など剛性の高い素材で成形されたＩＣタグ１の外径に対して、略同一若しくはそれ以上の環内径と、それ未満（例えばＩＣタグ１の外径からＩＣタグ１を取付けた布地３の部位の布地の厚さの２倍値を差し引いた値以下）の環内径を有する、略真円形状又は異形状の環状体である。
【００２８】
図２は、本発明のＩＣタグ取付け治具を構成する閉環状の環状体２の各種の形状を説明する平面図であって、図２（ａ）は直径ｒの真円形状の環状体２を示し、（ｂ）は長径ｒ1 、短径ｒ2 の楕円形状の環状体２、（ｃ）は長径ｒ1 、短径ｒ2 の異形状の環状体２であり、図３は、本発明のＩＣタグ取付け治具を構成する開環状の環状体２の各種の形状を説明する平面図であって、図３（ａ）は直径ｒの真円形状の環状体２を示し、（ｂ）は長径ｒ1 、短径ｒ2 の楕円形状の環状体２である。
【００２９】
前記環状体２は、剛性の高い素材であって、応力又は加熱により塑性変形可能な合成樹脂、金属（銅、アルミニウムなど）の素材、又は弾力性、伸縮性のある合成樹脂（可塑剤添加樹脂を含む）、ゴムなどのエラステック素材により形成されている。
【００３０】
図４は、ＩＣタグ１を環状体２内に装通させた後にＩＣタグ１を環状体２と平行に収納してＩＣタグ１を布地２に取り付けた状態を示す全体斜視図、図５は、環状体２を用いてＩＣタグ１を布地３に取り付けた状態を説明する側断面図である。
【００３１】
本発明のＩＣタグ取付け治具を用いて、ＩＣタグを柔軟な衣類やハンカチーフ、カーテン等の布地に取り付ける方法について、図１、図４、図５に基づいて以下に説明する。
【００３２】
まず、本発明のＩＣタグ取付け治具の環状体２を、布地３の布面（繊維面）に置き、偏平な形状のＩＣタグ１を環状体２と相対する布地３の裏面側に配置する。
【００３３】
続いて、布地３の裏面側にあるＩＣタグ１を、図１に示すように手指などにて布地３の裏面側から表面側に向けて、その環状体２の環内に布地３と共に押し込むことにより、ＩＣタグ１を布地３に包み込まれた状態で環状体２の環内に装通する。
【００３４】
次に、図１に示す布地３に包み込まれた状態で縦の姿勢にあるＩＣタグ１を、図４、図５に示すように、環状体２の姿勢（水平姿勢）と平行な姿勢に変換しながら、ＩＣタグ１を布地３を挟んで環状体２上に重ね合わせる。環状体２の環外にあるＩＣタグ１を包んでいる部分の布地３に、弛みや膨らみや大きな皺などが発生している場合には、必要に応じて、環状体２の環外にあるＩＣタグ１を包んでいない部分の布地３を適力で引っ張り、ＩＣタグ１を包んでいる部分の布地３の弛みや膨らみや大きな皺などを除去する。
【００３５】
これによりＩＣタグ１は、ＩＣタグ取付け治具を構成する環状体２によって、布地３にコンパクトにしっかりと取り付け固定される。
【００３６】
本発明のＩＣタグ取付け治具を構成する環状体２は、その内径（最大内径ｒ、ｒ1 ）がＩＣタグ１の外径（最小径、図示せず）と同径か、若しくはＩＣタグ１の外径未満（例えばＩＣタグ１の外径からＩＣタグ１を取付けた布地３の部位の布地の厚さの２倍値を差し引いた値以下）の閉環状の環状体２である場合には、ＩＣタグ１を布地と共にＩＣタグ取付け治具の閉環状の環状体２の環内に装通した際には、狭小な、緩くない状態で装通することができる。
【００３７】
また、その内径（最大内径ｒ、ｒ1 ）がＩＣタグ１の外径と同径か、若しくはＩＣタグの外径未満（例えばＩＣタグ１の外径からＩＣタグ１を取付けた布地３の部位の布地の厚さの２倍値を差し引いた値以下）の開環状の環状体２である場合には、ＩＣタグ１を布地３と共にＩＣタグ取付け治具の閉環状の環状体２の環内に装通した際には、狭小な、緩くない状態で装通することができる。また環状体２が開環状であるため、環状体２の内径の増大が許容されて、ＩＣタグ１と共に布地３を装通する際には、環状体２の内径を僅かではあるが拡大させながら装通することができる。また、開環状の環状体２の開環している間隙ｄの中に、布地３に包まれたＩＣタグ１の外周の一部分を挿入することにより、狭小でない、緩い状態で装通することが可能である。
【００３８】
このようにして本発明のＩＣタグ取付け治具を構成する環状体２の環内に、布地３と共に装通されたＩＣタグ１は、布地３によって被覆されて外側から肉眼では可視されず、ＩＣタグ１は布地３内に隠蔽される。
【００３９】
ＩＣタグ１を布地３から取り外す場合は、上記取り付け操作順に対して、逆順に操作することにより取り外すものである。
【００４０】
本発明のＩＣタグ取付け治具においては、図６に示すように、閉環状又は開環状の環状体２の内側周面２ａ又は／及び上側外面２ｂ又は／及び下側外面２ｃに、布地３を保持するために、環外方に突起先端を向けた保持用爪部２ｄを備えるようにしてもよい。
【００４１】
また本発明のＩＣタグ取付け治具においては、図７に示すように、閉環状又は開環状の環状体２の内側周面２ａ又は／及び上側外面２ｂ又は／及び下側外面２ｃに、布地３を保持するために、摩擦係数増加用の細かな凸部２ｅ（微細凹凸部）を備えるようにしてもよい。
【符号の説明】
【００４２】
１…ＩＣタグ
２…環状体
３…布地
【図１】
2011034316.tif 000003
【図２】
2011034316.tif 000004
【図３】
2011034316.tif 000005
【図４】
2011034316.tif 000006
【図５】
2011034316.tif 000007
【図６】
2011034316.tif 000008
【図７】
2011034316.tif 000009